(57)【要約】【課題】送風回路に配した水熱交換器の接続配管により遮音板と空気熱交換器との間の通風経路が阻害される事の無いヒートポンプ式給湯機を提供する。【解決手段】底面を支持する基板２０上部を区画する遮音板１１と、前記遮音板１１によって区画された一方に搭載された圧縮機３と、他方に形成される送風回路２１とを備え、前記送風回路２１内に空気熱交換器５と、水熱交換器４及び送風ファン１２を搭載するとともに、前記水熱交換器４の水循環用配管（図示せず）及び冷媒循環用配管（図示せず）にそれぞれ結合される接続配管１３、１４を、前記圧縮機３の前面側に引き出したもので、空気熱交換機５の遮音板１１と重複する部分の通風経路を拡張できるとともに、正面側に接続配管１３、１４と水循環用及び冷媒循環用配管との結合部が配置され、組立時のロウ付け作業や、メンテナス性の向上が図れる。【選択図】図１ 
2005156024.tif 000002
【特許請求の範囲】
【請求項１】
底面を支持する基板上部を区画する遮音板と、前記遮音板によって区画された一方に搭載された圧縮機と、他方に形成される送風回路とを備え、前記送風回路内に空気熱交換器と、水熱交換器及び送風ファンを搭載するとともに、前記水熱交換器の水循環用配管及び冷媒循環用配管にそれぞれ結合される接続配管を、前記圧縮機の前面側に引き出したヒートポンプ式給湯機。
【請求項２】
遮音板を断面略Ｃ字状に形成し、前記遮音板の下端に圧縮機の固定脚の少なくとも一部が通る切欠きを設けた請求項１記載のヒートポンプ式給湯機。
【請求項３】
圧縮機の前面側に引き出された水熱交換器の接続配管を互いに平行になるように配列した請求項１または２記載のヒートポンプ式給湯機。
【発明の詳細な説明】
【技術分野】
【０００１】
本発明は、ヒートポンプ式給湯機に関するものである。
【背景技術】
【０００２】
従来のヒートポンプ式給湯機について、図４を用いて説明する。
【０００３】
図４に示すように、従来のヒートポンプ式給湯機は、冷凍サイクル１と給湯サイクル２を備え、冷凍サイクル１は圧縮機３と、給湯用の水熱交換器４と熱源用の空気熱交換器５とが冷媒循環用配管９にて順次接続して構成される。また給湯サイクル２は、貯湯タンク６と水循環用配管７とを備え、この水循環用配管７には、水循環用ポンプ８と熱交換経路１０とが設置されている。この場合の熱交換経路１０は給湯用の水熱交換器４にて構成される。
【０００４】
上記構成により、圧縮機３と水循環用ポンプ８を駆動させると貯湯タンク６の底部に設けた取水口６ａから貯留水が水循環用配管７に流出し、これが熱交換経路１０を流通する。その際貯留水は水熱交換器４によって加熱され、貯湯タンク６に戻る。これによって貯湯タンク６に高温の温湯を貯めるものであった。
【０００５】
さらに図５、６に示すように圧縮機３と水熱交換器４と空気熱交換器５とが冷媒循環用配管９にて順次接続されるヒートポンプ式給湯装置は、装置の底面を支持する基板２０上部を騒音防止用の遮音板１１によって区画され、その一方に圧縮機３を搭載し、さらにもう一方の区画である送風回路２１内には、送風ファン１２と、その背面に空気熱交換器５と、送風ファン１２の下に水熱交換器４を各々搭載している。さらに遮音板１１は送風ファン１２背面に配置した空気熱交換器５に沿って圧縮機３の背面まで形成されている。加えて送風回路２１内に搭載した水熱交換器４から水循環用配管７と結合する接続配管１３と冷媒循環用配管９と結合する接続配管１４を遮音板１１の切欠き穴(図示せず)を通し、圧縮機３と遮音板１１との間に引き出し配置した構成となっている(例えば、特許文献１参照)。
【特許文献１】特許第３２２４６７０号公報
【発明の開示】
【発明が解決しようとする課題】
【０００６】
しかしながら、上記従来の構成では圧縮機３の背面側に、水熱交換器４から水循環用配管７と結合する接続配管１３、冷媒循環用配管９と結合する接続配管１４を遮音板１１に設けた切欠き穴を通し、引き出し配置することにより、遮音板１１は前記接続配管１３、１４に沿って形成される為に、遮音板１１と、その背面側に配置される空気熱交換器５の間隔は狭い構成となり、送風ファン１２を駆動した際に、空気熱交換器５の遮音板１１との重複部１５は十分な通風経路を確保できず、送風性能が低下するという課題を有していた。
【０００７】
また、上記送風性能を向上するために、ヒ−トポンプ式給湯装置の奥行き寸法を広げ、通風経路のスペ−スを確保する事も考えられるが、製品サイズが大型化してしまうという課題も有していた。
【０００８】
また、水熱交換器４から引き出される接続配管１３、１４は、圧縮機３と遮音板１２に挟まれた構成となっており、接続配管１３、１４と水循環用配管７及び、冷媒循環用配管９とのロウ付け加工などの作業性が困難であった。
【０００９】
さらに空気熱交換器５の遮音板１１との重複部１５と、遮音板１１との通風経路を拡張するために、遮音板１１の断面形状を略Ｃ字状にした場合、そのＣ字状に湾曲した湾曲部１６に水熱交換器４から引き出される接続配管１３、１４を通過する構成になるため、切欠き穴は湾曲部１６の勾配に沿って形成されるため、切り欠き穴のサイズが大きくなり圧縮機３の駆動時の振動・騒音の漏えいが大きく、防音効果が低下するという課題を有していた。
【００１０】
本発明は、前記従来の課題を解決するものであり、製品サイズの大型化及び、製品の防音性能を低下すること無く、空気熱交換器の通風経路を確保し、送風性能の向上を図るとともに、組立時の作業性及び、メンテナンス性に優れたヒートポンプ式給湯装置を提供することを目的とする。
【課題を解決するための手段】
【００１１】
前記従来の課題を解決するために、本発明のヒートポンプ式給湯器は、底面を支持する基板上部を区画する遮音板と、前記遮音板によって区画された一方に搭載された圧縮機と、他方に形成される送風回路とを備え、前記送風回路内に空気熱交換器と、水熱交換器及び送風ファンを搭載するとともに、前記水熱交換器の水循環用配管及び冷媒循環用配管にそれぞれ結合される接続配管を、前記圧縮機の前面側に引き出したもので、空気熱交換機の遮音板と重複する部分の通風経路が拡張、確保できるとともに、正面側に接続配管と水循環用び冷媒循環用の配管との結合部が配置され、組立時のロウ付け作業や各種センサ−取付けが容易になり、作業性及びメンテナス性の向上が図れる。
【発明の効果】
【００１２】
本発明のヒートポンプ式給湯機は、製品サイズの大型化及び、製品防音性能を低下すること無く、空気熱交換器の通風経路が確保され、送風性能に優れ、しかも組立時の作業性及び、メンテナンス性に優れている。
【発明を実施するための最良の形態】
【００１３】
第１の発明は、底面を支持する基板上部を区画する遮音板と、前記遮音板によって区画された一方に搭載された圧縮機と、他方に形成される送風回路とを備え、前記送風回路内に空気熱交換器と、水熱交換器及び送風ファンを搭載するとともに、前記水熱交換器の水循環用配管及び冷媒循環用配管にそれぞれ結合される接続配管を、前記圧縮機の前面側に引き出したもので、空気熱交換機の遮音板と重複する部分の通風経路が拡張、確保できるとともに、正面側に接続配管と水循環用及び冷媒循環用配管との結合部が配置され、組立時のロウ付け作業や各種センサ−取付けが容易になり、作業性及びメンテナス性の向上が図れる。
【００１４】
第２の発明は、特に、第１の発明の遮音板を断面略Ｃ字状に形成し、前記遮音板の下端に圧縮機の固定脚の少なくとも一部が通る切欠きを設けたもので、空気熱交換機の遮音板と重複する部分の通風経路が更に拡張・確保できると同時に、送風ファンによって発生した風を遮音板のＣ字状の面に沿って空気熱交換機の重複部に円滑に循環させる事ができる。
【００１５】
第３の発明は、特に、第１の発明の圧縮機の前面側に引き出された水熱交換器の接続配管を互いに平行になるように配列したもので、接続配管の径と略同等の最少容積にて圧縮機と製品外装との間の限定されたスペ−スに接続配管が配置できるため、ヒ−トポンプ式給湯装置の奥行き方向の厚みが増えること無く、遮音板と空気熱交換器との通風経路をさらに拡大させることができる。
【００１６】
以下、本発明の実施の形態について、図面を参照しながら説明する。なおこの実施の形態によって本発明が限定されるものではない。
【００１７】
（実施の形態１）
図１は、本発明の第１の実施の形態におけるヒートポンプ給湯機の内部構成を示す上面図、    図２は、同ヒ−トポンプ式給湯機の遮音板の取付構造を示す斜視図、図３は同ヒ−トポンプ式給湯機の正面図である。なお、従来例と同一部分については、同一符号を付してその説明を省略する。
【００１８】
図において、ヒ−トポンプ式給湯機の底面を支持する基板２０の上部を遮音板１１によって区画した一方に圧縮機３を搭載し、もう一方の区画に送風回路２１を形成し、その送風回路２１には、水熱交換器４と空気熱交換器５及び、送風ファン１２が搭載されている。前記水熱交換器４の水循環用配管７と結合する接続配管１３と、冷媒循環用配管９と結合する接続配管１４は遮音板１１に設けた切欠き穴(図示せず)を通り、遮音板１１を隔て搭載した圧縮機３の前面側に引き出して配置したものである。
【００１９】
さらに、圧縮機３と、水熱交換器４と空気熱交換器５及び送風ファン１２を搭載した送風回路２１を区画する遮音板１１は、図２に示すように、圧縮機３の固定脚１７に重なる断面略Ｃ字状に形成すると共に、圧縮機３の固定脚１７と重なる湾曲部１６の下端に切欠き１８を設け、圧縮機３の固定脚１７の上部に遮音板１１を形成・配置する形状になっている。
【００２０】
この際遮音板１１より突出した圧縮機３の固定脚１７及び、切欠き１８は、特殊具１９と遮音板１１をスポット溶接し、密閉されている。
【００２１】
また、圧縮機３の前面側に引き出して配置した水循環用配管７に結合する接続配管１３と冷媒循環用配管９に結合する接続配管１４を、図３に示すように互いに平行に配列している。なお、接続配管１３、１４の上下の配置順序は自由に配置してもよい。
【００２２】
上記構成によって、遮音板１１と、その背面に配置された空気熱交換器５の遮音板１１との通風経路を拡大することができるとともに、送風ファン１２によって発生させた風を遮音板１１のＣ字状の面に沿って空気熱交換機５の重複部１５にさらに円滑に循環させ送風性能の向上を図ることができる。
【００２３】
また、圧縮機３の前面側に接続配管１３、１４を引き出し配置することにより、製品前面側に接続配管１３、１４と水循環用配管７及び冷媒循環用９のロウ付け結合部を位置させることができ、組立時のロウ付け作業や各種センサ−取付けが容易になり、組立作業性及びメンテナス性の向上が図れる。
【００２４】
また水熱交換器４の水循環用配管７と結合する接続配管１３と、冷媒循環用配管９と結合する接続配管１４を互いに平行に配列することにより、接続配管径と同等の最少容積にて圧縮機３と製品外装の限定されたスペ−スに配置できるため、製品サイズの奥行き寸法を増やすこと無く、遮音板１１とその背面を形成する空気熱交換器５との通風経路をさらに拡大し、送風性能の効率向上が図れる。
【産業上の利用可能性】
【００２５】
以上のように、本発明にかかるヒ−トポンプ式給湯装置は、本体サイズを大きくすること無く、通風経路を拡大し送風性能および作業性に優れており、圧縮機の近傍に配管を施す各種空調機器、冷房機器に適用できるものである。
【図面の簡単な説明】
【００２６】
【図１】本発明の実施の形態１におけるヒ−トポンプ式給湯機の内部構成を示す上面図
【図２】同ヒ−トポンプ式給湯機の遮音板の取付構造を示す斜視図
【図３】同ヒ−トポンプ式給湯機の正面図
【図４】従来のヒ−トポンプ式給湯機の冷凍、給湯サイクル図
【図５】同ヒ−トポンプ式給湯機の内部構成を示す上面図
【図６】同ヒ−トポンプ式給湯機の正面図
【符号の説明】
【００２７】
１  冷凍サイクル
２  給湯サイクル
３  圧縮機
４  水熱交換器
５  空気熱交換器
６  貯湯タンク
７  水循環用配管
８  水循環用ポンプ
９  冷媒循環用配管
１０  熱交換経路
１１  遮音板
１２  送風ファン
１３  接続配管（水用）
１４  接続配管（冷媒用）
１５  重複部
１７  固定脚
１８  切欠き
１９  特殊具
２０  基板
２１  送風回路
【図１】
2005156024.tif 000003
【図２】
2005156024.tif 000004
【図３】
2005156024.tif 000005
【図４】
2005156024.tif 000006
【図５】
2005156024.tif 000007
【図６】
2005156024.tif 000008